(57)【要約】【課題】変換プラグをＡＣプラグに連結して、忘れたり紛失するのを有効に防止する。【解決手段】プラグ装置は、機器本体１０のＡＣプラグ１１に変換プラグ２０を連結している。機器本体１０は、折り畳み状態のＡＣプラグ１１の一対のプラグ刃１２を収納する第１スペース１４Ａと第２スペース１４Ｂを開口している。変換プラグ２０は、第１スペース１４Ａに挿入される第１連結突出部２５と、第２スペース１４Ｂに挿入される第２連結突出部２６とを備える。第１連結突出部２５は、係止挿入部２７と変形アーム２８と解除摘み部２９とを備える。プラグ装置は、変換プラグ２０がＡＣプラグ１１に連結されて、第１連結突出部２５の係止挿入部２７が第１スペース１４Ａに挿入されて、係止フック２７Ａが係止部１５に係止される。さらに、解除摘み部２９が押されて係止挿入部２７の係止状態が解除されて、変換プラグ２０がＡＣプラグ１１から引き抜かれる。【選択図】図６
2006040756.tif 000002
【特許請求の範囲】
【請求項１】
一対のプラグ刃(12)を有するＡＣプラグ(11)を傾動できるように連結している機器本体(10)と、この機器本体(10)のＡＣプラグ(11)に脱着できるように連結される変換プラグ(20)とを備え、
変換プラグ(20)を外してＡＣプラグ(11)を電源コンセントに連結し、ＡＣプラグ(11)に変換プラグ(20)を連結して、ＡＣプラグ(11)の電源コンセントと異なる形状の電源コンセントに連結するようにしてなるプラグ装置であって、
ＡＣプラグ(11)は、絶縁ケース(13)に一対のプラグ刃(12)を固定したもので、絶縁ケース(13)を機器本体(10)に傾動できるように連結しており、かつ、ＡＣプラグ(11)は、プラグ刃(12)の両面に平行な面内で傾動するように、絶縁ケース(13)を機器本体(10)に連結しており、
機器本体(10)は、折り畳み状態のＡＣプラグ(11)のプラグ刃(12)を収納する案内スペース(14)を開口して設けており、この案内スペース(14)は、一対のプラグ刃(12)を別々に収納する第１スペース(14A)と第２スペース(14B)を有し、
変換プラグ(20)は、一対のピンプラグ(21)を絶縁ホルダー(22)に固定しており、絶縁ホルダー(22)はＡＣプラグ(11)のプラグ刃(12)を嵌入してＡＣプラグ(11)に連結されるプラグ挿入部(23)を有し、このプラグ挿入部(23)にＡＣプラグ(11)のプラグ刃(12)を挿入する状態で、一対のプラグ刃(12)をピンプラグ(21)に電気接続する接続機構(24)を内蔵しており、
さらに、変換プラグ(20)の絶縁ホルダー(22)は、プラグ挿入部(23)にＡＣプラグ(11)のプラグ刃(12)を挿入する状態で、機器本体(10)の第１スペース(14A)に挿入される第１連結突出部(25)と、第２スペース(14B)に挿入される第２連結突出部(26)をプラスチックで一体的に成形して設けており、
第１連結突出部(25)と第２連結突出部(26)は、ＡＣプラグ(11)に変換プラグ(20)を挿入する方向に突出して、変換プラグ(20)をＡＣプラグ(11)に連結する状態で、第１スペース(14A)と第２スペース(14B)に挿入されるようにしており、
さらに、第１連結突出部(25)は、先端に係止フック(27A)を有する係止挿入部(27)と、この係止挿入部(27)を係止解除方向に弾性変形できるように絶縁ホルダー(22)に連結する変形アーム(28)と、係止挿入部(27)に連結されて、係止挿入部(27)を係止解除方向に傾動させる解除摘み部(29)とを備えており、
機器本体(10)の第１スペース(14A)は、挿入される係止挿入部(27)の係止フック(27A)を係止する係止部(15)を有し、
ＡＣプラグ(11)に変換プラグ(20)が連結されて、変換プラグ(20)の第１連結突出部(25)の係止挿入部(27)が第１スペース(14A)に挿入されて、係止フック(27A)が係止部(15)に係止され、
解除摘み部(29)が押される状態では、係止挿入部(27)の係止フック(27A)が係止部(15)に係止する状態が解除されて、変換プラグ(20)がＡＣプラグ(11)から引き抜かれるようにしてなるプラグ装置。
【請求項２】
ピンプラグ(21)が円柱状である請求項１に記載されるプラグ装置。
【請求項３】
変換プラグ(20)が絶縁ホルダー(22)の側部に突出して、第１連結突出部(25)と第２連結突出部(26)とを一体的に成形して設けている請求項１に記載されるプラグ装置。
【請求項４】
解除摘み部(29)と係止挿入部(27)とをＬ字状に連結してＬ字アーム(30)とし、Ｌ字アーム(30)のコーナ部を変形アーム(28)で絶縁ホルダー(22)の本体部に連結している請求項１に記載されるプラグ装置。
【発明の詳細な説明】
【技術分野】
【０００１】
本発明は、形状が異なる電源コンセントに、ＡＣプラグを連結するプラグ装置に関する。
【背景技術】
【０００２】
電源プラグの形状は国によって相違する。したがって、日本で使用すように設計しているＡＣプラグの機器は、形式が異なる外国では使用できない。ＡＣプラグを変換する変換プラグは開発されている（特許文献１参照）。
【特許文献１】特開平８−３３００３５号公報
【発明の開示】
【発明が解決しようとする課題】
【０００３】
特許文献１に記載される変換プラグ４１は、図１に示すように、電源コンセント４０に挿入するプラグ刃４２をホルダー４３に固定している。さらに、ホルダー４３の背面には電源コンセントと異なる型式のＡＣプラグ４５を挿入するためのコンセント部４４を設けている。この変換プラグ４１は、コンセント部４４にＡＣプラグ４５を連結して、建物等に固定している電源コンセント４０に挿入される。
【０００４】
この構造の変換プラグは、互いに異なる型式の電源コンセントにＡＣプラグを連結できる。しかしながら、この構造の変換プラグは、ＡＣプラグを電源コンセントに連結する状態で、接触不良が発生しやすく、また電源コンセントから抜け安い欠点がある。それは、変換プラグが、前面を電源コンセントに、背面にＡＣプラグを挿入しているので、ＡＣプラグを電源コンセントに連結する状態で、水平方向に長くなり、ＡＣプラグのコードに作用する重力で倒れやすくなるからである。
【０００５】
この欠点を解消するために、図に示す変換プラグは、ＡＣプラグ４５を連結するコンセント部４４を傾動できるようにホルダー４３に連結している。しかしながら、傾動できる構造は、メカニズムを複雑にすることに加えて、接触不良を助長する弊害もある。それは、傾動部分に電力を供給するために、金属を接触状態で摺動させて電力を供給するからである。
【０００６】
さらにまた、この構造の変換プラグは、電源コンセントから抜き忘れしやすい等の欠点もある。それは、電気機器のＡＣプラグを変換プラグから抜くときに、変換プラグが電源コンセントから抜けないからである。また、変換プラグを電気機器と一緒に持ち運ぶ必要があるが、このときに変換プラグを紛失しやすい欠点もある。変換プラグと電気機器とが分離しているからである。
【０００７】
本発明は、このような欠点を解決することを目的に開発されたものである。本発明の重要な目的は、接触不良を極減して、ＡＣプラグを型式の異なる電源コンセントに確実に接続でき、変換プラグをＡＣプラグに連結して、忘れたり紛失するのを有効に防止できるプラグ装置を提供することにある。
【課題を解決するための手段】
【０００８】
本発明のプラグ装置は、一対のプラグ刃１２を有するＡＣプラグ１１を傾動できるように連結している機器本体１０と、この機器本体１０のＡＣプラグ１１に脱着できるように連結される変換プラグ２０とを備える。このプラグ装置は、変換プラグ２０を外してＡＣプラグ１１を電源コンセントに連結し、また、ＡＣプラグ１１に変換プラグ２０を連結して、ＡＣプラグ１１の電源コンセントと異なる形状の電源コンセントに連結する。ＡＣプラグ１１は、絶縁ケース１３に一対のプラグ刃１２を固定したもので、絶縁ケース１３を機器本体１０に傾動できるように連結している。ＡＣプラグ１１は、プラグ刃１２の両面に平行な面内で傾動するように、絶縁ケース１３を機器本体１０に連結している。機器本体１０は、折り畳み状態のＡＣプラグ１１のプラグ刃１２を収納する案内スペース１４を開口して設けている。この案内スペース１４は、一対のプラグ刃１２を別々に収納する第１スペース１４Ａと第２スペース１４Ｂを有する。変換プラグ２０は、一対のピンプラグ２１を絶縁ホルダー２２に固定している。絶縁ホルダー２２は、ＡＣプラグ１１のプラグ刃１２を嵌入してＡＣプラグ１１に連結されるプラグ挿入部２３を有し、このプラグ挿入部２３にＡＣプラグ１１のプラグ刃１２を挿入する状態で、一対のプラグ刃１２をピンプラグ２１に電気接続する接続機構２４を内蔵している。さらに、変換プラグ２０の絶縁ホルダー２２は、プラグ挿入部２３にＡＣプラグ１１のプラグ刃１２を挿入する状態で、機器本体１０の第１スペース１４Ａに挿入される第１連結突出部２５と、第２スペース１４Ｂに挿入される第２連結突出部２６をプラスチックで一体的に成形して設けている。第１連結突出部２５と第２連結突出部２６は、ＡＣプラグ１１に変換プラグ２０を挿入する方向に突出して、変換プラグ２０をＡＣプラグ１１に連結する状態で、第１スペース１４Ａと第２スペース１４Ｂに挿入されるようにしている。さらに、第１連結突出部２５は、先端に係止フック２７Ａを有する係止挿入部２７と、この係止挿入部２７を係止解除方向に弾性変形できるように絶縁ホルダー２２に連結する変形アーム２８と、係止挿入部２７に連結されて、係止挿入部２７を係止解除方向に傾動させる解除摘み部２９とを備えている。機器本体１０の第１スペース１４Ａは、挿入される係止挿入部２７の係止フック２７Ａを係止する係止部１５を有する。プラグ装置は、ＡＣプラグ１１に変換プラグ２０が連結されて、変換プラグ２０の第１連結突出部２５の係止挿入部２７が第１スペース１４Ａに挿入されて、係止フック２７Ａが係止部１５に係止される。さらに、プラグ装置は、解除摘み部２９が押される状態では、係止挿入部２７の係止フック２７Ａが係止部１５に係止する状態が解除されて、変換プラグ２０がＡＣプラグ１１から引き抜かれる。
【０００９】
ピンプラグ２１は、円柱状とすることができる。変換プラグ２０は、絶縁ホルダー２２の側部に突出して、第１連結突出部２５と第２連結突出部２６とを一体的に成形して設けることができる。さらに、変換プラグ２０は、解除摘み部２９と係止挿入部２７とをＬ字状に連結してＬ字アーム３０とし、Ｌ字アーム３０のコーナ部を変形アーム２８で絶縁ホルダー２２の本体部に連結することができる。
【発明の効果】
【００１０】
本発明のプラグ装置は、接触不良を極減して、ＡＣプラグを型式の異なる電源コンセントに確実に接続でき、変換プラグをＡＣプラグに連結して、忘れたり紛失するのを有効に防止できる特長がある。それは、本発明のプラグ装置が、ＡＣプラグを傾動できるように連結している機器本体と、この機器本体のＡＣプラグに脱着できるように連結される変換プラグとを備えており、変換プラグを独特の連結構造で機器本体に連結しているからである。機器本体は、折り畳み状態のＡＣプラグの一対のプラグ刃を収納する第１スペースと第２スペースとからなる案内スペースを開口して設けており、この案内スペースを利用して、変換プラグを係止構造で連結する。変換プラグは、ＡＣプラグに連結する状態で、第１スペースに挿入される第１連結突出部と、第２スペースに挿入される第２連結突出部とを絶縁ホルダーに一体的に設けている。さらに、この第１連結突出部は、先端に係止フックを有する係止挿入部と、この係止挿入部を係止解除方向に弾性変形させる変形アームと、係止挿入部を係止解除方向に傾動させる解除摘み部とを備えており、係止挿入部を第１スペースに挿入して、係止フックを第１スペースに設けた係止部に係止する。
【００１１】
この構造のプラグ装置は、ＡＣプラグに変換プラグを連結して、第１連結突出部の係止挿入部を第１スペースに挿入し、係止フックを係止部に係止して外れないように連結される。このように、変換プラグを機器本体にしっかりと連結できるプラグ装置は、変換プラグとＡＣプラグとの接触不良を極減して、変換プラグを型式の異なる電源コンセントに確実に接続できる。さらに、本発明のプラグ装置は、変換プラグを機器本体に係止構造で連結しているので、機器本体を電源コンセントから抜くときに、変換プラグがＡＣプラグから抜けるのを有効に防止して、変換プラグを抜き忘れる等の弊害を確実に防止できる特長がある。しかも、機器本体と変換プラグとを一体的に連結した状態で持ち運びできるので、変換プラグを紛失するのを確実に防止できる。さらにまた、本発明のプラグ装置は、解除摘み部を押して係止挿入部の係止フックを係止部から解除できるので、極めて簡単な操作で変換プラグをＡＣプラグから引き抜いて、ＡＣプラグの電源コンセントに使用できる。
また、ＡＣプラグは、プラグ刃の両面に平行な面内で傾動しているので、一対のプラグ刃を別々に収納する第１スペースと第２スペースは、プラグ刃の傾動面に対する垂直方向の幅を狭くすることができる。
【発明を実施するための最良の形態】
【００１２】
以下、本発明の実施例を図面に基づいて説明する。ただし、以下に示す実施例は、本発明の技術思想を具体化するための変換プラグ２０を例示するものであって、本発明は変換プラグ２０を以下のものに特定しない。
【００１３】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１４】
図２ないし図４に示すプラグ装置は、ＡＣプラグ１１を傾動できるように連結している機器本体１０と、この機器本体１０のＡＣプラグ１１に脱着できるように連結される変換プラグ２０とを備える。これ等の図に示すプラグ装置は、図２に示すように、変換プラグ２０を外してＡＣプラグ１１を電源コンセント（図示せず）に連結する。また、図３に示すように、ＡＣプラグ１１に変換プラグ２０を連結して、ＡＣプラグの電源コンセントと異なる形状の電源コンセント（図示せず）に連結される。
【００１５】
ＡＣプラグ１１は、一対のプラグ刃１２をプラスチック製の絶縁ケース１３に固定して、絶縁ケース１３を傾動できるように機器本体１０に連結している。さらに、図示しないが、一対のプラグ刃１２は、機器本体１０に内蔵している電源回路に接続されて、電源回路に商用電力を供給する。このＡＣプラグ１１は、図２の矢印で示すように、プラグ刃１２の両面に平行な面内で傾動できるように、絶縁ケース１３を機器本体１０に連結している。この姿勢で傾動するＡＣプラグ１１は、図５に示すように、絶縁ケース１３の両端に、プラグ刃１２の両面に直交する回転軸１６を一体的に成形して設けている。回転軸１６は、プラグ刃１２の後端に位置して、絶縁ケース１３の両端に直線状に突出して設けられる。この回転軸１６を回転できるように支持する、回転穴（図示せず）が機器本体１０に設けられている。この回転穴に回転軸１６を支持して、ＡＣプラグ１１は回転できるように機器本体１０に連結される。
【００１６】
機器本体１０は、折り畳み状態のＡＣプラグ１１のプラグ刃１２を収納する案内スペース１４を開口して設けている。ＡＣプラグ１１は、折り畳まれた状態で、機器本体１０の片面に位置する。図２の機器本体１０は、折り畳まれたＡＣプラグ１１を機器本体１０の背面に位置させる。したがって、案内スペース１４は、機器本体１０の背面に開口して設けられている。ＡＣプラグ１１は、プラグ刃１２の両面を含む面内で回転して傾動するので、案内スペース１４の幅は、プラグ刃１２の厚さよりも大きい溝形として設けられる。ＡＣプラグ１１は、一対のプラグ刃１２を有するので、一対のプラグ刃１２を収納するために、案内スペース１４は、各々のプラグ刃１２を別々に収納する第１スペース１４Ａと第２スペース１４Ｂを有する。
また、ＡＣプラグ１１は、プラグ刃１２の両面に平行な面内で傾動しているので、一対のプラグ刃１２を別々に収納する第１スペース１４Ａと第２スペース１４Ｂは、プラグ刃１２の傾動面に対する垂直方向の幅を狭くすることができる。
【００１７】
変換プラグ２０は、一対のピンプラグ２１を絶縁ホルダー２２に固定している。ピンプラグ２１は金属ロッドである。絶縁ホルダー２２はプラスチック製で、本体ホルダー２２Ａと、この本体ホルダー２２Ａに固定しているインナーホルダー２２Ｂとを備える。インナーホルダー２２Ｂを本体ホルダー２２Ａに固定して、ピンプラグ２１を絶縁ホルダー２２に固定している。本体ホルダー２２Ａは、ピンプラグ２１よりも太い一対の貫通孔２２ａを開口し、かつ、内部を、インナーホルダー２２Ｂとプラグ刃１２を挿入できるように中空状に成形している。インナーホルダー２２Ｂは、本体ホルダー２２Ａの中空部に嵌入されて定位置に配置される。図の絶縁ホルダー２２は、インナーホルダー２２Ｂを止ネジ（図示せず）で本体ホルダー２２Ａに固定している。止ネジは、インナーホルダー２２Ｂの中心を貫通して、先端を本体ホルダー２２Ａの中心部分にねじ込んでいる。インナーホルダー２２Ｂは、ピンプラグ２１をインサートして固定している。ただし、インナーホルダーには、ピンプラグをインサートすることなく、たとえば嵌着し、あるいは接着して固定することもできる。インナーホルダー２２Ｂは、ピンプラグ２１の周囲を保持している筒部２２ｂを、本体ホルダー２２Ａの貫通孔２２ａに挿通して、ピンプラグ２１を定位置に保持している。
【００１８】
さらに、変換プラグ２０の絶縁ホルダー２２は、図５に示すように、ＡＣプラグ１１のプラグ刃１２を嵌入してＡＣプラグ１１に連結されるプラグ挿入部２３を内部に設けている。図の絶縁ホルダー２２は、プラグ刃１２を挿入して定位置に連結するプラグ挿入部２３をインナーホルダー２２Ｂに設けている。すなわち、インナーホルダー２２Ｂは、一対のプラグ刃１２を挿入する大きさの連結穴を、プラグ挿入部２３として下方に開口して設けている。さらに、図の変換プラグ２０は、絶縁ホルダー２２の内部に、インナーホルダー２２Ｂを挿入すると共に、プラグ刃１２を挿入するプラグ挿入部２３を設けるために、中空部を設けている。
【００１９】
また、変換プラグ２０の絶縁ホルダー２２は、プラグ挿入部２３にＡＣプラグ１１のプラグ刃１２を挿入する状態で、一対のプラグ刃１２をピンプラグ２１に電気接続する接続機構２４を内蔵している。図の変換プラグ２０の接続機構２４は、ピンプラグ２１の下端に固定している弾性接点である。弾性接点は、図において上端をピンプラグ２１の下端にカシメ構造で連結している。ただ、弾性接点は、ピンプラグの下端を弾性的に押圧し、あるいは弾性的に挟着して接続することもできる。さらに、弾性接点は、下部に弾性接続アーム２４Ａを設けている。この弾性接続アーム２４Ａは、プラグ挿入部２３に挿入されるＡＣプラグ１１のプラグ刃１２の表面に弾性的に押圧する状態で接触して電気接続される。したがって、弾性接続アーム２４Ａは、プラグ刃１２の挿入位置に配置されている。
【００２０】
さらに、変換プラグ２０の絶縁ホルダー２２は、プラグ挿入部２３にＡＣプラグ１１のプラグ刃１２を挿入する状態、言いかえると、変換プラグ２０を機器本体１０に連結する状態で、機器本体１０の第１スペース１４Ａに挿入される第１連結突出部２５と、第２スペース１４Ｂに挿入される第２連結突出部２６をプラスチックで一体的に成形して設けている。図の変換プラグ２０は、本体ホルダー２２Ａに一体的に成形して、第１連結突出部２５と第２連結突出部２６を設けている。
【００２１】
第１連結突出部２５と第２連結突出部２６は、本体ホルダー２２Ａの一方の側面から突出して設けられている。さらに、第１連結突出部２５と第２連結突出部２６は、ＡＣプラグ１１に変換プラグ２０を挿入する方向、図６ないし図８において下方に突出して設けられて、変換プラグ２０をＡＣプラグ１１に連結する状態で、第１スペース１４Ａと第２スペース１４Ｂに挿入される。
【００２２】
第１連結突出部２５は、先端に係止フック２７Ａを有する係止挿入部２７と、この係止挿入部２７を係止解除方向に弾性変形できるように絶縁ホルダー２２に連結する変形アーム２８と、係止挿入部２７に連結されて、係止挿入部２７を係止解除方向に傾動させる解除摘み部２９とを設けている。図６ないし図８の変換プラグ２０は、解除摘み部２９と係止挿入部２７とをＬ字状に連結して、Ｌ字アーム３０とし、このＬ字アーム３０のコーナー部を変形アーム２８でもって絶縁ホルダー２２の本体部に連結している。Ｌ字アーム３０は、絶縁ホルダー２２の側面と平行な姿勢で、変形アーム２８を介して本体ホルダー２２Ａに連結している。したがって、変形アーム２８の長さが、絶縁ホルダー２２とＬ字アーム３０の間隔となる。
【００２３】
機器本体１０の第１スペース１４Ａは、図６と図７に示すように、挿入される係止挿入部２７の係止フック２７Ａを係止する係止部１５を設けている。この第１スペース１４Ａは、第２スペース１４Ｂの幅よりも少し広くしている。それは、係止挿入部２７を第１スペース１４Ａの内部で傾動させて、先端の係止フック２７Ａを係止部１５から外して引き抜きするためである。図２と図４に示す機器本体１０は、第１スペース１４Ａにおいては、段部形状（図７参照）とすることで、係止挿入部２７を挿入する部分の幅を広くして、他の部分の幅を第２スペース１４Ｂの幅よりも少し広くしている。
【００２４】
図３ないし図８に示す変換プラグ２０は、係止挿入部２７の上端の片側、図において右上端面に変形アーム２８を一体的に成形して設けている。また、絶縁ホルダー２２の下面であって、変形アーム２８との連結部分の下方には、第１スペース１４Ａの幅狭部分に嵌入される嵌入凸部３１を、第１連結突出部２５の先端部であって、Ｌ字アーム３０から突出する部分の下方には、第１スペース１４Ａの幅狭部分に嵌入される嵌入凸部３２をそれぞれ一体的に成形して設けている。第１連結突出部２５は、第１スペース１４Ａに挿入されて、係止フック２７Ａを機器本体１０の係止部１５に係止する状態で、第１スペース１４Ａの内側に接近し、あるいは当接する。第２連結突出部２６は、第２スペース１４Ｂに嵌入される幅に成形される。この変換プラグ２０は、機器本体１０の定位置に遊びが少なくなる構造で連結される。とくに、第１連結突出部２５の一部の幅を、第１スペース１４Ａの幅にほぼ等しくして隙間なく嵌入し、さらに第２連結突出部２６を第２スペース１４Ｂに隙間なく嵌入する構造の変換プラグ２０は、機器本体１０の定位置に遊びなくしっかりと連結できる。図の第１連結突出部２５は、Ｌ字アーム３０の両側、すなわち、変形アーム２８と、変形アーム２８の反対側に設けている嵌入凸部３１、３２を、第１スペース１４Ａに隙間なく嵌入できる構造として、機器本体１０の定位置に遊びなくしっかりと連結できる。とくに、この構造としながら、第２連結突出部２６も隙間なく第２スペース１４Ｂに連結して、変換プラグ２０を機器本体１０の定位置に遊びなくしっかりと連結できる。
【００２５】
係止挿入部２７は、先端に係止フック２７Ａを一体的に成形して設けている。係止フック２７Ａは、解除摘み部２９を突出させる方向、図６と図７において左側に突出して設けている。第１連結突出部２５は、係止挿入部２７と解除摘み部２９からなるＬ字アーム３０を一体的に傾動できるように成形している。したがって、解除摘み部２９が押されて（図７に矢印Ａで示す）、Ｌ字状の角部を略中心として回転（図７に矢印Ｂで示す）するようにして、Ｌ字アーム３０が傾動（図７に矢印Ｃで示す）されると、係止フック２７Ａの係止状態は解除される。図の第１連結突出部２５は、係止フック２７Ａを内側に突出するように設けているが、図と反対に外側に突出するように係止フックを設けることもできる。ただし、このＬ字アームは、解除摘み部を図と反対に外側に突出するように係止挿入部に連結する。さらに、図示しないが、係止フックは、絶縁ホルダーの表面から離れる方向に突出することもできる。この第１連結突出部は、解除摘み部も絶縁ホルダーの表面から離れる方向に突出させる。この第１連結突出部は、変形アームを折曲するように変形させて、Ｌ字アームを傾動させる。機器本体１０の係止部１５は、係止挿入部２７の係止フック２７Ａを係止して、解除摘み部２９を押して解除できる形状に成形される。たとえば、係止フックを図７と反対に外側に突出させるＬ字アームを係止する係止部は、図とは反対に、第１スペースの外側に係止部を設ける。
【００２６】
以上の変換プラグ２０は、第１連結突出部２５と第２連結突出部２６をプラスチックでもって絶縁ホルダー２２の本体ホルダー２２Ａと一体的に成形している。この変換プラグ２０は、変形アーム２８を弾性的に変形できる弾性と強度のあるプラスチックで本体ホルダー２２Ａを成形して、インナーホルダー２２Ｂは変形しにくい高強度な硬いプラスチックで成形することができる。この構造の変換プラグ２０は、簡単かつ容易に、しかもＬ字アーム３０をスムーズに変形できる構造としながら安価に多量生産できる特徴がある。ただし、変換プラグは、第１連結突出部と第２連結突出部を、必ずしも絶縁ホルダーのプラスチックで一体的に成形する必要はない。第１連結突出部と第２連結突出部を、絶縁ホルダーとは別のプラスチックで成形して、絶縁ホルダーに固定することもできる。
【００２７】
以上のプラグ装置は、図２と図３に示す状態で使用される。すなわち、図２に示すように、ＡＣプラグ１１に変換プラグ２０を連結しない状態では、ＡＣプラグ１１を電源コンセントに連結する。ＡＣプラグ１１と電源コンセントの形状が異なる場合は、図３に示すように、ＡＣプラグ１１に変換プラグ２０を連結する。この状態において、変換プラグ２０の第１連結突出部２５は、係止挿入部２７を第１スペース１４Ａに挿入して、係止フック２７Ａを機器本体１０の係止部１５に係止してロック状態とする。変換プラグ２０を連結する状態で、機器本体１０は、変換プラグ２０のピンプラグ２１を電源コンセントに挿入して電源に接続する。この状態で、ピンプラグ２１は接続機構２４を介してＡＣプラグ１１のプラグ刃１２に接続される。したがって、ＡＣプラグ１１を電源コンセントに接続するのと同じようにして、ピンプラグ２１とプラグ刃１２を介して機器本体１０に内蔵している電源回路（図示せず）に電力が供給される。
【００２８】
変換プラグ２０を機器本体１０から外すときは、解除摘み部２９を押してＬ字アーム３０を傾動させる。いいかえると解除摘み部２９で係止挿入部２７を傾動させる。係止挿入部２７は傾動して、係止フック２７Ａの係止部１５への係止状態を解除する。この状態で、変換プラグ２０がＡＣプラグ１１から引き抜かれる。
【図面の簡単な説明】
【００２９】
【図１】従来の変換プラグの一例を示す斜視図である。
【図２】本発明の一実施例にかかるプラグ装置のＡＣプラグの使用状態を示す斜視図である
【図３】本発明の一実施例にかかるプラグ装置の変換プラグの使用状態を示す斜視図である。
【図４】図３に示すプラグ装置の分解斜視図である。
【図５】図３に示すプラグ装置の拡大断面斜視図であって、Ａ−Ａ線断面に相当する図である。
【図６】図３に示すプラグ装置の拡大断面斜視図であって、Ｂ−Ｂ線断面に相当する図である。
【図７】図３に示すプラグ装置のＢ−Ｂ線断面図である。
【図８】図４に示すプラグ装置の絶縁ホルダーの拡大斜視図である。
【符号の説明】
【００３０】
１０…機器本体
１１…ＡＣプラグ
１２…プラグ刃
１３…絶縁ケース
１４…案内スペース        １４Ａ…第１スペース
１４Ｂ…第２スペース
１５…係止部
１６…回転軸
２０…変換プラグ
２１…ピンプラグ
２２…絶縁ホルダー        ２２Ａ…本体ホルダー      ２２ａ…貫通孔
２２Ｂ…インナーホルダー  ２２ｂ…筒部
２３…プラグ挿入部
２４…接続機構            ２４Ａ…弾性接続アーム
２５…第１連結突出部
２６…第２連結突出部
２７…係止挿入部          ２７Ａ…係止フック
２８…変形アーム
２９…解除摘み部
３０…Ｌ字アーム
３１…嵌入凸部
３２…嵌入凸部
４０…電源コンセント
４１…変換プラグ
４２…プラグ刃
４３…ホルダー
４４…コンセント部
４５…ＡＣプラグ
【図１】
2006040756.tif 000003
【図２】
2006040756.tif 000004
【図３】
2006040756.tif 000005
【図４】
2006040756.tif 000006
【図５】
2006040756.tif 000007
【図６】
2006040756.tif 000008
【図７】
2006040756.tif 000009
【図８】
2006040756.tif 000010